(57)【要約】【課題】微小放電開始電圧閉曲線を近似する六角形を一意に特定し、解析の実用性を高める。【解決手段】独立に制御可能な少なくとも３つの電極が配置された放電セルに対して、第１および第２の電極間のそれぞれの印加電圧を軸とする座標平面を想定し、前記座標平面上で前記放電セルが第１の状態であるときの放電開始電圧特性を表す閉曲線を求め、前記閉曲線を六角形に近似し、前記六角形を用いて前記座標平面上で前記放電セルに対する電圧印加と前記放電セルの状態変化との関係を解析する際に、前記放電セルの状態変化に伴う前記六角形の変化を、６個の辺のそれぞれに１個ずつ対応した計６個のパラメータによって特定する。【選択図】      図７
2004265726.tif 000002
【特許請求の範囲】
【請求項１】
独立に制御可能な少なくとも３つの電極が配置された放電セルに対して、第１および第２の電極間のそれぞれの印加電圧を軸とする座標平面を想定し、前記座標平面上で前記放電セルが第１の状態であるときの放電開始電圧特性を表す閉曲線を求め、前記閉曲線を六角形に近似し、前記六角形を用いて前記座標平面上で前記放電セルに対する電圧印加と前記放電セルの状態変化との関係を解析する、プラズマディスプレイパネルにおける壁電荷状態の解析方法であって、
前記放電セルの状態変化に伴う前記六角形の変化を、６個の辺のそれぞれに１個ずつ対応した計６個のパラメータによって特定し、それによって前記放電セルが前記第１の状態と異なる状態であるときの放電開始電圧特性を近似する六角形を確定する
ことを特徴とするプラズマディスプレイパネルにおける壁電荷状態の解析方法。
【請求項２】
前記第１の状態は、前記放電セルに壁電荷が形成されていない無帯電状態である
請求項１記載のプラズマディスプレイパネルにおける壁電荷状態の解析方法。
【発明の詳細な説明】
【０００１】
【発明の属する技術分野】
本発明は、プラズマディスプレイパネル（Ｐｌａｓｍａ  Ｄｉｓｐｌａｙ  Ｐａｎｅｌ：ＰＤＰ）の壁電荷状態の解析方法に関し、３電極面放電ＡＣ型ＰＤＰの駆動回路の設計に好適である。
【０００２】
【従来の技術】
図１は３電極面放電ＡＣ型ＰＤＰのセル構造の一例を示す。図１ではＰＤＰ１のうち、１画素の表示に関わる３つの放電セルに対応した部分を、内部構造がよくわかるように一対の基板構体１０，２０を分離させて描いてある。
【０００３】
ＰＤＰ１は一対の基板構体１０，２０からなる。基板構体とは、ガラス基板上に電極その他の構成要素を設けた構造体である。前面側の基板構体１０におけるガラス基板１１の内面に表示電極Ｘ，Ｙ、誘電体層１７および保護膜１８が設けられ、背面側の基板構体２０におけるガラス基板２１の内面にアドレス電極Ａ、絶縁層２４、隔壁２９、および蛍光体層２８Ｒ，２８Ｇ，２８Ｂが設けられている。図中の斜体アルファベットＲ，Ｇ，Ｂは蛍光体の発光色を示す。
【０００４】
表示電極Ｘ，Ｙのそれぞれは、面放電ギャップを形成する透明導電膜４１とバス導体としての金属膜４２とから構成されており、マトリクス表示の１行に属する放電セルに共通の電極である。アドレス電極Ａのそれぞれはマトリクス表示の１列に属する放電セルに共通の電極である。これら３つの電極は独立に制御可能である。
【０００５】
放電動作の解析において物理的に意味があるのは各電極の電位そのものではなく、電極間の電圧（電位差）である。３電極構造の放電セルにおいて、３つの電極間の電圧の関係は、３つの電極間のうちの２つの電極間の電圧によって特定される。注目する２つの電極間の選択は任意である。ただし、実際の駆動では主として表示電極Ｘと表示電極Ｙとの間（これをＸＹ電極間という）の放電およびアドレス電極Ａと表示電極Ｙとの間（これをＡＹ電極間という）の放電を制御するので、ＸＹ電極間およびＡＹ電極間の電圧に注目して解析するのが好ましい。以下では、ＸＹ電極間の印加電圧ＶＸＹを横軸にとり、ＡＹ電極間の印加電圧ＶＡＹを縦軸にとった印加電圧平面を考える。ＶＸＹ，ＶＡＹの極性は、表示電極Ｙの電位が他方の電極電位より低い場合に正である。
【０００６】
図２は壁電荷がない場合の微小放電開始電圧閉曲線の一例を示す。２つの電極間の電圧関係を少しずつ変える測定（実測またはシミュレーション）によって得られる放電開始電圧のプロットの集合は、略六角形の微小放電開始電圧閉曲線を形成する。この微小放電開始電圧閉曲線を六角形で近似し、六角形の各辺を図３で示される６つのパラメータ｛ＶｔＡＹ，ＶｔＸＹ，ＶｔＸＡ，ＶｔＹＡ，ＶｔＹＸ，ＶｔＡＸ｝で特徴づける。これらのパラメータが表す放電開始電圧は次のとおりである。
ＶｔＸＹ：表示電極Ｘが陽極となるときのＸＹ電極間の放電開始電圧
ＶｔＹＸ：表示電極Ｙが陽極となるときのＸＹ電極間の放電開始電圧
ＶｔＡＹ：アドレス電極Ａが陽極となるときのＡＹ電極間の放電開始電圧
ＶｔＹＡ：表示電極Ｙが陽極となるときのＡＹ電極間の放電開始電圧
ＶｔＡＸ：アドレス電極Ａが陽極となるときのＡＸ電極間の放電開始電圧
ＶｔＸＡ：表示電極Ｘが陽極となるときのＡＸ電極間の放電開始電圧
放電セル内に壁電荷が存在する場合には、壁電荷による電場が放電に影響する。壁電荷の形成に伴って、壁電荷が存在しない場合の微小放電開始電圧閉曲線は、壁電荷が存在する場合の微小放電開始電圧閉曲線へと変化する。これについて、文献１（崎田他：  ２００１年電子情報通信学会総合大会  Ｃ−９−４）では、図４に示すように微小放電開始電圧閉曲線は印加電圧平面で平行移動のみをすると仮定し、平行移動量を表す２個のパラメータを壁電圧としていた。例えばこの２個のパラメータを
ΔＶｔＹＡ  ＝  ＶｔＹＡ−ＶｔＹＡ０  
ΔＶｔＹＸ  ＝  ＶｔＹＸ−ＶｔＹＸ０  
とすると、六角形を特徴づける６つのパラメータは
ＶｔＹＡ＝  ＶｔＹＡ０＋ΔＶｔＹＡ
ＶｔＹＸ＝  ＶｔＹＸ０＋ΔＶｔＹＸ
ＶｔＡＹ＝  ＶｔＡＹ０＋ΔＶｔＡＹ
ＶｔＸＹ＝  ＶｔＸＹ０＋ΔＶｔＸＹ
ＶｔＸＡ＝  ＶｔＸＡ０＋（ΔＶｔＹＸ−ΔＶｔＹＡ）
ＶｔＡＸ＝  ＶｔＡＸ０＋（ΔＶｔＹＸ−ΔＶｔＹＡ）
と表される。ここで上付き添字の０は、壁電荷が無い場合の量であることを示している。
【０００７】
この文献１では壁電圧と印加電圧との和をセル電圧と定義し、セル電圧平面において放電開始電圧を表す微小放電開始電圧閉曲線を導入している。この微小放電開始電圧閉曲線を利用して駆動電圧を決める手法が特開２００１−２４２８２５号公報によって開示されている。
【０００８】
しかし、壁電荷の形成状態によっては単に平行移動ではなく、微小放電開始電圧閉曲線の形状の変化する場合が存在する。そのような場合について、文献２（Ｓ．  Ｚｗａｒｔ  ａｎｄ  Ｂ．  Ｓａｌｔｅｒｓ：  ＩＤＷ’０１，  ｐ８４５  （２００１））では、５個のパラメータによって壁電荷状態を記述している。具体的には図５のように、六角形の位置を表す２個のパラメータＶｔＹＡ，ＶｔＹＸと、六角形の対向する辺の距離を表す３個のパラメータＷＸＹ，  ＷＡＹ，  ＷＸＡを導入し、これら５個のパラメータにおける壁電荷が存在する場合の値と存在しない場合の値との差｛ΔＶｔＹＡ，ΔＶｔＹＸ，ΔＷＡＹ，ΔＷＸＹ，ΔＷＸＡ｝によって壁電荷の形成状態を表していた。ここに
ΔＷＡＹ  ＝  （ＶｔＡＹ−ＶｔＹＡ）−（ＶｔＡＹ０−ＶｔＹＡ０ ）
ΔＷＸＹ  ＝  （ＶｔＸＹ−ＶｔＹＸ）−（ＶｔＸＹ０−ＶｔＹＸ０ ）
ΔＷＸＡ  ＝  （ＶｔＸＡ−ＶｔＡＸ）−（ＶｔＸＡ０−ＶｔＡＸ０ ）
である。
【０００９】
【特許文献１】
特開２００１−２４２８２５号公報
【００１０】
【非特許文献１】
崎田他：  ２００１年電子情報通信学会総合大会  Ｃ−９−４
【００１１】
【非特許文献２】
Ｓ．  Ｚｗａｒｔ  ａｎｄ  Ｂ．  Ｓａｌｔｅｒｓ：  ＩＤＷ’０１，  ｐ８４５  （２００１）
【００１２】
【発明が解決しようとする課題】
ところが、５個のパラメータ｛ΔＶｔＹＡ，ΔＶｔＹＸ，ΔＷＡＹ，ΔＷＸＹ，ΔＷＸＡ｝では六角形は一意に決定できないという問題があった。５個のパラメータ｛ΔＶｔＹＡ，ΔＶｔＹＸ，ΔＷＡＹ，ΔＷＸＹ，ΔＷＸＡ｝によって六角形の６個の辺のうちの４個に係るパラメータＶｔＡＹ，ＶｔＹＡ，ＶｔＸＹ，ＶｔＹＸは決まるものの、残りの２個のパラメータＶｔＸＡ，ＶｔＡＸについてはそれらの差しか決まらない。例えば図６の２個の六角形９０Ａ，９０Ｂは、同じ｛ΔＶｔＹＡ，ΔＶｔＹＸ，ΔＷＡＹ，ΔＷＸＹ，ΔＷＸＡ｝を与える。
【００１３】
本発明は、微小放電開始電圧閉曲線を近似する六角形を一意に特定し、解析の実用性を高めることを目的としている。
【００１４】
【課題を解決するための手段】
本発明においては、独立に制御可能な少なくとも３つの電極が配置された放電セルに対して、第１および第２の電極間のそれぞれの印加電圧を軸とする座標平面を想定し、前記座標平面上で前記放電セルが第１の状態であるときの放電開始電圧特性を表す閉曲線を求め、前記閉曲線を六角形に近似し、前記六角形を用いて前記座標平面上で前記放電セルに対する電圧印加と前記放電セルの状態変化との関係を解析する際に、前記放電セルの状態変化に伴う前記六角形の変化を、６個の辺のそれぞれに１個ずつ対応した計６個のパラメータによって特定する。前記第１の状態の典型例は、前記放電セルに壁電荷が形成されていない無帯電状態である。
【００１５】
【発明の実施の形態】
図７は本発明に係る６個のパラメータの説明図である。壁電荷の形成状態の表現に、壁電荷が形成されていない無帯電状態での放電開始電圧特性を示す六角形９１と壁電荷が形成された状態での放電開始電圧特性を示す六角形９２との間における６個の辺のそれぞれのずれを表す６個のパラメータ｛ΔＶｔＡＹ，ΔＶｔＸＹ，ΔＶｔＸＡ，ΔＶｔＹＡ，ΔＶｔＹＸ，ΔＶｔＡＸ｝を用いる。ここで
ΔＶｔＡＹ＝  ＶｔＡＹ−ＶｔＡＹ０ 
ΔＶｔＸＹ＝  ＶｔＸＹ−ＶｔＸＹ０
ΔＶｔＸＡ＝  ＶｔＸＡ−ＶｔＸＡ０
ΔＶｔＹＡ＝  ＶｔＹＡ−ＶｔＹＡ０
ΔＶｔＹＸ＝  ＶｔＹＸ−ＶｔＹＸ０
ΔＶｔＡＸ＝  ＶｔＡＸ−ＶｔＡＸ０
である。解析においてこれら６個のパラメータを指定すれば、六角形を特徴づけるパラメータＶｔＡＹ，ＶｔＸＹ，ＶｔＸＡ，ＶｔＹＡ，ＶｔＹＸ，ＶｔＡＸは一意に決まる。
【００１６】
なお、微小放電開始電圧閉曲線を近似する六角形の形状が変わらない場合は、
ΔＶｔＡＹ＝ΔＶｔＹＸ
ΔＶｔＸＹ＝ΔＶｔＹＸ
ΔＶｔＸＡ＝ΔＶｔＡＸ
ΔＶｔＸＡ＝ΔＶｔＸＹ−ΔＶｔＡＹ
が成り立つ。他にも最後の式と同形の関係式（例えばΔＶｔＡＸ＝ΔＶｔＸＹ−ΔＶｔＡＹ）が７つ成り立つ。しかし、それらは上記４つの式と独立ではない。上記４つの式の少なくとも１つが成り立たなければ、六角形の形状が変わる。５パラメータを用いる従来の方法では、最初の３つの式についてはそれらが成り立たない場合が想定されているものの、最後の式については想定されていない。本発明では４つ全ての式について、それらが成り立たない場合が想定されている。
【００１７】
【発明の効果】
請求項１または請求項２の発明によれば、微小放電開始電圧閉曲線を近似する六角形を一意に特定することができる。それによって放電セルの帯電状態を的確に表現することができ、プラズマディスプレイパネルの放電動作の正確な解析が可能になる。
【図面の簡単な説明】
【図１】３電極面放電ＡＣ型ＰＤＰのセル構造の一例を示す図である。
【図２】壁電荷がない場合の微小放電開始電圧閉曲線の一例を示す図である。
【図３】微小放電開始電圧閉曲線の近似の説明図である。
【図４】２パラメータによる微小放電開始電圧閉曲線の変化の記述を示す図である。
【図５】５パラメータによる微小放電開始電圧閉曲線の変化の記述を示す図である。
【図６】５パラメータによる記述では区別できない微小放電開始電圧閉曲線の例を示す図である。
【図７】本発明に係る６個のパタメータの説明図である。
【符号の説明】
１  ＰＤＰ（プラズマディスプレイパネル）
９１，９２  六角形
ΔＶｔＡＹ，  ΔＶｔＸＹ，  ΔＶｔＸＡ，  ΔＶｔＹＡ，  ΔＶｔＹＸ，ΔＶｔＡＸ    パラメータ
【図１】
2004265726.tif 000003
【図２】
2004265726.tif 000004
【図３】
2004265726.tif 000005
【図４】
2004265726.tif 000006
【図５】
2004265726.tif 000007
【図６】
2004265726.tif 000008
【図７】
2004265726.tif 000009